(57)【特許請求の範囲】
【請求項１】
引戸に設けられた装置本体と、上枠に設けられ装置本体を操作する操作部材とを備え、
装置本体には、
引戸に固定されるケーシングと、
ケーシングに取付けられる直動タイプのダンパーと、
操作部材に係合した状態でケーシングの案内部に沿って移動するカムと、
カムをダンパー側に引き寄せる引っ張りコイルばねと、
ダンパーのロッドが連結され、操作部材に係合したカムに押圧されてダンパーから抵抗力を受けるダンパー連結部材とが設けられ、
引戸が閉方向に移動するとき、
カムは、案内部に連設された第１係止部に係止された状態で操作部材に係合するとともに第１係止部から抜け出して案内部に係合してダンパー連結部材を押圧し、
ダンパー連結部材が案内部のダンパー側に連設された第２係止部に係止されるとカムがダンパー連結部材から離れ、
カムは、係合した操作部材とともに引っ張りコイルばねによりダンパー側に引き寄せられることで、引戸を全閉位置まで移動させることを特徴とする引戸の引き込み装置。
【請求項２】
前記引戸は引戸の閉方向に向かって下降傾斜したレールに支持されていることを特徴とする請求項１に記載の引戸の引き込み装置。
【発明の詳細な説明】
【技術分野】
【０００１】
本発明は、引戸を閉まり際において緩やかに閉める引戸の引き込み装置に関する。
【背景技術】
【０００２】
特許文献１に記載される引戸の引き込み装置は、枠体に設けられた装置本体と、引戸に設けられ装置本体を操作する操作部材とを備えている。装置本体には、枠体に固定されたケーシングレールと、ケーシングレールに案内されて往復移動する引き込み部材とが設けられる。引き込み部材は、ケーシングレールのラックと噛み合うピニオンギアを備え、コイルばねによって引戸の閉方向に付勢されている。ピニオンギアには回転ダンパーが連結されており、引戸が閉方向に移動するとき、ピニオンギアは回転ダンパーから抵抗力を受けて減速する。引戸が全閉位置に近付くと、ピニオンギアはラックから外れて直線部に移る。ピニオンギアが直線部に移ると、ピニオンギアは回転ダンパーからの抵抗力を受けなくなり、引戸は、コイルばねによって閉方向に付勢された状態で全閉位置まで移動する。
【先行技術文献】
【特許文献】
【０００３】
【特許文献１】特開２００６−２００２９８号公報
【発明の概要】
【発明が解決しようとする課題】
【０００４】
特許文献１に記載の回転ダンパーは発生する抵抗力が小さいので、勢いを付けて引戸を閉めたときのように閉方向に移動する速度が高い場合には、閉まり際において引戸が十分減速されないことがあり危険である。さらに、引戸にラッチが設けられている場合には、ラッチが抵抗となって引戸が完全に閉まり切らない場合がある。
本発明の目的は、閉まり際において引戸を十分減速することができ、引戸を完全に閉め切ることができる引戸の引き込み装置を提供することである。
【課題を解決するための手段】
【０００５】
請求項１に記載の発明は、引戸に設けられた装置本体と、上枠に設けられ装置本体を操作する操作部材とを備え、
装置本体には、
引戸に固定されるケーシングと、
ケーシングに取付けられる直動タイプのダンパーと、
操作部材に係合した状態でケーシングの案内部に沿って移動するカムと、
カムをダンパー側に引き寄せる引っ張りコイルばねと、
ダンパーのロッドが連結され、操作部材に係合したカムに押圧されてダンパーから抵抗力を受けるダンパー連結部材とが設けられ、
引戸が閉方向に移動するとき、
カムは、案内部に連設された第１係止部に係止された状態で操作部材に係合するとともに第１係止部から抜け出して案内部に係合してダンパー連結部材を押圧し、
ダンパー連結部材が案内部のダンパー側に連設された第２係止部に係止されるとカムがダンパー連結部材から離れ、
カムは、係合した操作部材とともに引っ張りコイルばねによりダンパー側に引き寄せられることで、引戸を全閉位置まで移動させることを特徴とするものである。
請求項２に記載の発明では、引戸は引戸の閉方向に向かって下降傾斜したレールに支持されているものである。
【発明の効果】
【０００６】
請求項１の発明によれば、第１係止部から抜け出して案内部に係合したカムは、ダンパー連結部材が第２係止部に係止するまでの間、ダンパー連結部材を押圧するので、引戸は直動タイプのダンパーの抵抗力を受けて閉まり際において十分減速され、ダンパー連結部材が第２係止部に係止された後は、係合した操作部材とともに引っ張りコイルばねによりダンパー側に引き寄せられることで、引戸を全閉位置まで移動させるので、引戸を完全に閉め切ることができる。
【０００７】
請求項２の発明によれば、装置本体は引戸の自重によって引戸ととともに自動的に閉方向に移動するので、操作者が引戸を閉方向に移動しなくても第１係止部に係止したカムを操作部材に当接させ、カムを第１係止部から案内部へ押し出すことができる。
【図面の簡単な説明】
【０００８】
【図１】本発明の一実施形態に係る引戸の引き込み装置の横断面図である。
【図２】装置本体の縦断面図である。
【図３】装置本体の正面図である。
【図４】ケーシング部材の平面図である。
【図５】カムの斜視図である。
【図６】係止部材の斜視図である。
【図７】ダンパー連結部材の斜視図である。
【発明を実施するための形態】
【０００９】
以下、本発明の第１の実施の形態について図１〜図７に基づいて説明する。図１は本発明の一実施形態に係る引戸の引き込み装置１の横断面図である。図２は装置本体４の縦断面図である。図３は装置本体４の正面図である。図４はケーシング部材８ａの平面図である。図５はカム１１の斜視図である。図６は係止部材２６の斜視図である。図７はダンパー連結部材１４の斜視図である。
【００１０】
引戸の引き込み装置１は、引戸５をレール３に移動可能に支持する吊り車６に連設される装置本体４と、上枠２に取り付けられたレール３に係止され装置本体４を操作する操作部材７とを備える。レール３は引戸５の閉方向である戸先側に向かって下降傾斜しており、開方向である戸尻側に移動した引戸５は、引戸５の自重によって自動的に閉方向に移動可能である。
【００１１】
装置本体４には、引戸５にねじ止めされるケーシング８と、ケーシング８に設置される直動タイプのダンパー９と、操作部材７に係合した状態でケーシング８の案内溝１０に沿って移動するカム１１と、装置本体４を引戸５の開方向に付勢する引っ張りコイルばね１２と、一端部がダンパー９のロッド１３先端部に連結され、引戸５が閉方向に移動するときカム１１に押圧されてダンパー９からの抵抗力を受けるダンパー連結部材１４とが設けられる。
【００１２】
ケーシング８は、たとえば樹脂成型され、引戸５の移動方向に沿って上下に分割可能なケーシング部材８ａと８ｂとを備える。ケーシング部材８ａと８ｂとは、ケーシング部材８ａと８ｂとを結合する結合部を除いて対称に形成されている。ケーシング部材８ａ，８ｂには、ダンパー９のシリンダー部を収容するダンパー収容部１５と、カム１１とダンパー連結部材１４とを案内する案内溝１０と、引っ張りコイルばね１２の一端部をケーシング８に支持する支持部材１７を係止する係止溝１８とを備える。
【００１３】
ダンパー９はロッド１３が戸先側に位置した状態で、シリンダー部分がダンパー収容部１５に収容される。案内溝１０は第１案内溝１０ａと第２案内溝１０ｂとを備える。第１案内溝１０ａと第２案内溝１０ｂとは、ダンパー収容部１５の戸先側に位置する側壁内面に形成される。第２案内溝１０ｂは、ダンパー９の軸心上に幅広に形成される。第１案内溝１０ａは、ダンパー９の軸心上であって第２案内溝１０ｂの底部中央に第２案内溝１０ｂよりも幅狭に形成される。第２案内溝１０ｂの戸先側端部と戸尻側端部とには、後に詳述するカム１１の第２係合部２４が係止される係止部１０ｃと、ダンパー連結部材１４の係合部３５が係止される係止部１０ｄとが、他側部側に突出した状態で連設される。
【００１４】
係止溝１８の戸尻側端部には他側部側に突出した係止部１８ａが連設されている。引っ張りコイルばね１２の一端部を支持する支持部材１７は係止溝１８の戸先側端部に係止されているが、支持部材１７を戸尻側端部に位置する係止部１８ａに係止させて、カム１１に働く付勢力を大きくすることができる。
【００１５】
カム１１は、引戸５の移動方向に対して上下対称となるように樹脂成型される。カム１１の中央部にはダンパー９のロッド１３が挿通される孔部１９が形成され、カム１１の一側部には、戸尻側と戸先側とに各々凸部２０と凸部２１とが形成される。凸部２０と凸部２１との間には操作部材７に係合する凹部２２が形成される。カム１１の上面と下面とには、第１係合部２３と第２係合部２４とが上下方向に突出するように各々形成される。第１係合部２３と第２係合部２４とはともに円柱状とされ、第１係合部２３は第２係合部２４よりも小径細長に形成される。第１係合部２３はケーシング８の第１案内溝１０ａに係合し、第２係合部２４はケーシング８の第２案内溝１０ｂに係合する。カム１１の他側部には引っ張りコイルばね１２の戸先側端部を支持する鉤部２５が形成される。
【００１６】
ダンパー９のロッド１３先端部には、ロッド１３をダンパー連結部材１４に係止するための係止部材２６が取付けられる。係止部材２６には、ロッド１３の先端部が圧入される孔部２７と、ダンパー連結部材１４に係合する係合凸部２８とが形成される。係合凸部２８は、係止部材２６の側面に、孔部２７と直交する上下方向に突出した状態で形成される。
【００１７】
ダンパー連結部材１４は、たとえば樹脂成型される。ダンパー連結部材１４は、壁部３０と、壁部３０の戸尻側に一端部側に傾いた状態で連設される壁部３１と、壁部３１の戸尻側端部から一側部側に立ち上がる立ち上がり部３２と、壁部３０の戸先側端部から一側部側に立ち上がる立ち上がり部３３とを備える。壁部３１と立ち上がり部３２とには、カム１１の鉤部２５基端部が収容される水平方向の切り込み３４が形成される。
【００１８】
切り込み３４には段付き部が設けられ、戸尻側開口部が幅広に形成されているので、カム１１の鉤部２５基端部は、立ち上がり部３２に接触することなく切り込み３４に収容される。立ち上がり部３２端部の上面と下面とには係合部３５が各々上下方向に突出するように形成される。係合部３５は円柱状に形成されており、ケーシング部材８の第２案内溝１０ｂに係合する。
【００１９】
立ち上がり部３３の端部には、ダンパー９のロッド１３先端部に取り付けられた係止部材２６が係合する係合部３９が形成される。係合部３９には、ロッド１３の軸心方向に沿って切り込み３６が設けられる。切り込み３６を形成する上下壁部の一側部側には、ロッド１３の軸心方向と直交する方向に溝部３７が形成される。溝部３７の他側部側には、溝部３７よりも幅広な丸孔３８が連設される。
【００２０】
係止部材２６の係合凸部２８は、円筒の側面が平面状にカットされた幅狭な形状とされており、平面部２８ａが溝部３７と平行な状態で、係合凸部２８を溝部３７に嵌め込んで、係合凸部２８を丸孔３８に係止させることができる。係合部３９に係合した係合凸部２８は、立ち上がり部３３の上面側と下面側とに突出しているので、係合凸部２８を容易にケーシング８の第１案内溝１０ａに係合することができる。
【００２１】
引戸の引き込み装置１の動作について説明する。引戸５が開いているときの引戸の引き込み装置１を図２（ａ）に示す。カム１１は、鉤部２５基端部がダンパー連結部材１４の切り込み３４に収容された状態で、第１係合部２３が第１案内溝１０ａに係合し、第２係合部２４が係止部１０ｃに係止されている。ダンパー連結部材１４は、係合部３９に係合した係止部材２６の係合凸部２８が第１案内溝１０ａに係合し、係合部３５が第２案内溝１０ｂに係合した状態で、カム１１の他側部側を覆うように配置されている。なお、カム１１の戸先側他側部は面取りされているので、カム１１の第２係合部２４が係止部１０ｃに係止されたとき、カム１１がダンパー連結部材１４と接触することを防止することができる。
【００２２】
戸尻側に位置している装置本体４が引戸５とともに閉方向に移動すると、カム１１の凸部２０が、操作部材７に当接する。カム１１は、第２係合部２４が係止部１０ｃに係止されて戸先側が他側部側に傾いているので、戸先側の凸部２１が操作部材７に当接することが防止される。凸部２０が操作部材７に当接してカム１１が戸尻側に押圧されると、第２係合部２４が係止部１０ｃから抜け出て第２案内溝１０ｂに移動する。
【００２３】
図２（ｂ）に示すように、カム１１が係止部１０ｃから抜け出ると、閉方向に移動する装置本体４には、引っ張りコイルばね１２の付勢力が閉方向に働く。カム１１の戸尻側端面４０がダンパー連結部材１４の立ち上がり部３２を押圧し、ダンパー連結部材１４に係合したダンパー９のロッド１３を戸尻側に押すので、装置本体４はダンパー９から抵抗力を受けながら戸先側に移動する。引戸５は、ダンパー９の抵抗力によって、戸先側に移動するにしたがって減速される。ダンパー９として直動タイプのものが用いられているので、勢い良く引戸５が閉められた場合であっても引戸５を確実に減速させることができる。本実施の形態ではエアダンパーを用いているが、これに限定されるものではなくオイルダンパーを用いることもできる。
【００２４】
装置本体４がさらに戸先側に移動すると、ダンパー連結部材１４の係合部３５は、第２案内溝１０ｂから離れて、図２（ｃ）に示すように係止部１０ｄに係止される。係合部３５が係止部１０ｄに係止されると、ダンパー連結部材１４は戸尻側が他側部側に傾く。立ち上がり部３２が他側部側に移動するので、カム１１はダンパー連結部材１４から離れる。カム１１は、ダンパー連結部材１４から離れるとダンパー９から抵抗力を受けなくなる。装置本体４は、引っ張りコイルばね１２によって戸先側に付勢された状態で引戸の全閉位置まで移動するので、引戸５を完全に閉め切ることができる。
【００２５】
全閉位置にある引戸５を開ける場合には、引っ張りコイルばね１２の付勢力に抗して引戸５を開方向に移動させる。装置本体４が開方向に移動して、係止部１０ｄに係止されているダンパー連結部材１４の切り込み３４にカム１１の鉤部２５基端部が収容されるとともに、ダンパー連結部材１４の立ち上がり部３３がカム１１の戸先側端面４１に当接する。引戸５をさらに開方向に移動すると、ダンパー連結部材１４の係合部３５が係止部１０ｄから抜け出て第２案内溝１０ｂに移動する。装置本体４は、ダンパー連結部材１４の立ち上がり部３３がカム１１の戸先側端面４１に当接した状態で開方向に移動する。このときダンパー９の抵抗力は生じない。カム１１の第２係合部２４は第２案内溝１０ｂから離れて係止部１０ｃに移動する。第２係合部２４が係止部１０ｃに係止されると、カム１１は戸先側が斜めに傾き、凸部２１は操作部材７から離れて引戸５とともに戸尻側に移動する。本実施の形態では、引戸５側に装置本体４が設けられ、上枠２側に操作部材７が設けられているが、これに限定されるものではなく、引戸５側に操作部材７を設け、上枠２側に装置本体４を設けることもできる。
【００２６】
このように、引戸５に設けられた装置本体４と、上枠２に設けられ装置本体４を操作する操作部材７とを備え、装置本体４には、引戸５に固定されるケーシング８と、ケーシング８に取付けられる直動タイプのダンパー９と、操作部材７に係合した状態でケーシング８の案内部である案内溝１０に沿って移動するカム１１と、装置本体４が設置された引戸５を閉方向に付勢する付勢手段である引っ張りコイルばね１２と、ダンパー９のロッド１３が連結され、操作部材７に係合したカム１１に押圧されてダンパー９から抵抗力を受けるダンパー連結部材１４とが設けられ、引戸５が閉方向に移動するとき、カム１１は、案内溝１０に連設された第１係止部である係止部１０ｃに係止された状態で操作部材７に係合するとともに係止部１０ｃから抜け出して案内溝１０に係合してダンパー連結部材１４を押圧し、ダンパー連結部材１４が案内溝１０の引戸５全閉位置近傍に連設された第２係止部である係止部１０ｄに係止されるとダンパー連結部材１４から離れ、装置本体４は引っ張りコイルばね１２の付勢力のみを受けて引戸５全閉位置まで移動するので、閉まり際において引戸５を十分減速することができ、引戸５を完全に閉め切ることができる。
【００２７】
さらに、引戸５は引戸５の閉方向に向かって下降傾斜したレール３に支持されているので、操作者が引戸５を閉方向に移動しなくても係止部１０ｃに係止したカム１１を操作部材７に当接させ、カム１１を係止部１０ｃから案内溝１０へ押し出すことができる。
【符号の説明】
【００２８】
１    引戸の引き込み装置  
２    上枠
３    レール
４    装置本体
５    引戸
６    吊り車
７    操作部材
８    ケーシング
８ａ，８ｂ    ケーシング部材
９    ダンパー
１０    案内溝
１０ａ    第１案内溝
１０ｂ    第２案内溝
１０ｃ，１０ｄ    係止部
１１    カム
１２    引っ張りコイルばね
１３    ロッド
１４    ダンパー連結部材
１５    ダンパー収容部
１７    支持部材
１８    係止溝
１８ａ    係止部
１９，２７    孔部
２０，２１    凸部
２２    凹部
２３    第１係合部
２４    第２係合部
２５    鉤部
２６    係止部材
２８    係合凸部
２８ａ    平面部    
３０，３１    壁部    
３２，３３    立ち上がり部
３４，３６    切り込み
３５    係合部
３７    溝部
３８    丸孔
４０    戸先側端面
４１    戸尻側端面
【図１】
0005875329.tif 000002
【図２】
0005875329.tif 000003
【図３】
0005875329.tif 000004
【図４】
0005875329.tif 000005
【図５】
0005875329.tif 000006
【図６】
0005875329.tif 000007
【図７】
0005875329.tif 000008